(57)【要約】【課題】回収時間の短縮を図り、回収装置に対する大容量の記憶素子の搭載を不要にし、煩雑なデータ加工作業を行うことなく一連の測定データを１つの連続データとして取り扱い可能とする。【解決手段】回収装置において、回収対象の記録装置からの回収実績の有無を判別し（ステップ４２）、実績があるときに、自身が最新に回収した装置であるかを判別し（ステップ４７）、最新の装置のときに、記録装置から最新に回収された測定データおよび回収装置において最新に回収した測定データの日時が一致するかを判別し（ステップ５６）、一致するときに、最新に回収した測定データに続いて記録された測定データを回収し（ステップ５２）、回収内容に対応させて記録装置情報および個別回収データ情報を更新すると共に（ステップ４６）、回収実績がないとき、最新の装置でないとき、両測定データの日時が一致しないときにその旨を報知する（ステップ４３，４８，５７）。【選択図】図２
2011048417.tif 000002
【特許請求の範囲】
【請求項１】
測定データ記録装置によって記録された測定データを当該測定データ記録装置から測定データ回収装置に回収する測定データ回収方法であって、
前記測定データ記録装置についての記録装置個体情報、前記測定データ記録装置から最新に回収した前記測定データを特定可能な回収データ情報、および前記測定データ記録装置から前記測定データを最新に回収した前記測定データ回収装置を特定可能な回収装置情報を当該測定データ記録装置に記憶させ、かつ、前記測定データ回収装置についての回収装置個体情報、前記測定データ回収装置において前記測定データの回収実績がある前記測定データ記録装置を特定可能な記録装置情報、および前記測定データ回収装置において前記回収実績がある前記測定データ記録装置毎の最新に回収した前記測定データを特定可能な個別回収データ情報を当該測定データ回収装置に記憶させると共に、前記測定データの回収に際して、前記記録装置個体情報に基づいて当該測定データを回収する前記測定データ記録装置を特定すると共に当該特定した測定データ記録装置からの前記測定データの回収実績の有無を前記記録装置情報に基づいて判別し、回収実績があるときに、前記測定データ記録装置から出力された前記回収装置情報に基づいて特定した装置と前記回収装置個体情報に基づいて特定した装置とが一致するか否かを判別し、一致するときに、前記測定データ記録装置から出力された前記回収データ情報に基づいて特定した前記測定データと前記個別回収データ情報に基づいて特定した前記測定データとが一致するか否かを判別し、一致するときに、前記個別回収データ情報に基づいて特定した前記測定データに続いて記録された前記測定データを前記測定データ記録装置から回収し、当該回収した測定データ、および当該測定データを回収した前記測定データ回収装置に対応させて前記回収データ情報および前記回収装置情報を更新し、かつ、当該測定データを回収した前記測定データ記録装置、および当該測定データ記録装置から回収した当該測定データに対応させて前記記録装置情報および前記個別回収データ情報を更新すると共に、前記回収実績がないとき、前記特定した装置が一致しないとき、および前記特定した測定データが一致しないときにその旨を報知する測定データ回収方法。
【請求項２】
前記特定した前記測定データが一致しないときに、前記個別回収データ情報に基づいて特定した前記測定データに続いて記録された前記測定データ、前記回収データ情報に基づいて特定した前記測定データに続いて記録された前記測定データ、および前記測定データ記録装置に記録されているすべての前記測定データのうちの指定されたいずれかを前記測定データ記録装置から回収する請求項１記載の測定データ回収方法。
【請求項３】
入力信号の電気的パラメータを測定して測定データを記録する測定データ記録装置から当該測定データを回収するための測定データ回収装置であって、
当該測定データ回収装置についての回収装置個体情報、前記測定データの回収実績がある前記測定データ記録装置を特定可能な記録装置情報、および前記回収実績がある前記測定データ記録装置毎の最新に回収した前記測定データを特定可能な個別回収データ情報を記憶する回収装置側記憶部と、前記測定データ記録装置から前記測定データを回収すると共に、当該測定データを回収した前記測定データ記録装置に対応させて前記記録装置情報を更新し、かつ当該測定データ記録装置から回収した当該測定データに対応させて前記個別回収データ情報を更新する回収装置側制御部とを備え、
前記回収装置側制御部は、前記測定データの回収に際して、前記測定データ記録装置に記憶されている当該測定データ記録装置についての記録装置個体情報に基づいて当該測定データを回収する当該測定データ記録装置を特定すると共に当該特定した測定データ記録装置からの前記測定データの回収実績の有無を前記記録装置情報に基づいて判別し、回収実績があるときに、前記測定データ記録装置から出力された回収装置情報に基づいて当該測定データ記録装置から前記測定データを最新に回収した装置を特定すると共に当該特定した装置と前記回収装置個体情報に基づいて特定した装置とが一致するか否かを判別し、一致するときに、前記測定データ記録装置に記憶されている回収データ情報に基づいて当該測定データ記録装置から最新に回収された前記測定データを特定すると共に当該特定した測定データと前記個別回収データ情報に基づいて特定した前記測定データとが一致するか否かを判別し、一致するときに、前記個別回収データ情報に基づいて特定した前記測定データに続いて記録された前記測定データを前記測定データ記録装置から回収すると共に、前記回収実績がないとき、前記特定した装置が一致しないとき、および前記特定した測定データが一致しないときにその旨を報知する測定データ回収装置。
【請求項４】
前記回収装置側制御部は、前記特定した前記測定データが一致しないときに、前記個別回収データ情報に基づいて特定した前記測定データに続いて記録された前記測定データ、前記回収データ情報に基づいて特定した前記測定データに続いて記録された前記測定データ、および前記測定データ記録装置に記録されているすべての前記測定データのうちの指定されたいずれかを前記測定データ記録装置から回収する請求項３記載の測定データ回収装置。
【請求項５】
入力信号の電気的パラメータを測定して測定データを記録すると共に、測定データ回収装置からの要求に応じて当該測定データ回収装置に当該測定データを回収させる測定データ記録装置であって、
当該測定データ記録装置についての記録装置個体情報、前記測定データ回収装置によって最新に回収された前記測定データを特定可能な回収データ情報、および前記測定データを最新に回収した前記測定データ回収装置を特定可能な回収装置情報を記憶する記録装置側記憶部と、前記測定データ回収装置からの要求に応じて前記記録装置個体情報、前記回収データ情報および前記回収装置情報を当該測定データ回収装置に出力すると共に、前記測定データが回収されたときに、前記回収データ情報および前記回収装置情報を更新する記録装置側制御部とを備えている測定データ記録装置。
【請求項６】
請求項３または４記載の測定データ回収装置と、請求項５記載の測定データ記録装置とを備えて構成されている測定システム。
【発明の詳細な説明】
【技術分野】
【０００１】
本発明は、測定データ回収装置によって測定データ記録装置から測定データを回収する測定データ回収方法、測定データ記録装置から測定データを回収する測定データ回収装置、測定データを記録する測定データ記録装置、および測定データ回収装置と測定データ記録装置とを備えた測定システムに関するものである。
【背景技術】
【０００２】
測定データ回収装置と測定データ記録装置とを備えた測定システムとして、出願人は、特開２０００−３３９５７８号公報に温度測定システム（以下、単に「測定システム」ともいう）を開示している。この測定システムは、冷蔵ショーケース内等に設置されると共に、設定された測定条件に従って周囲の温度を測定して測定データを記録する複数の測定データ記録装置（上記公開公報における「温度記録装置」）と、パソコン上で作成した測定条件データを各測定データ記録装置に出力すると共に、各測定データ記録装置によって記録された測定データを回収してパーソナルコンピュータに転送するための測定データ回収装置（上記公開公報における「データ中継器」）とを備えて構成されている。
【０００３】
この測定システムの使用に際しては、パーソナルコンピュータ上で作成した測定条件データを測定データ回収装置に記憶させ、測定データ回収装置から各測定データ記録装置に測定条件データを出力することによって測定条件を設定する。次いで、測定条件の設定が完了した測定データ記録装置を測定対象の冷蔵ショーケース内に設置する。この状態において、測定データ記録装置では、制御部（以下、「記録装置側制御部」ともいう）が、測定処理を実行すべき時間が到来する度に、センサ部から出力されるセンサ信号に基づいて測定データを生成し、生成した測定データをＲＡＭに記憶させる。これにより、設定された測定条件に対応する時間間隔で周囲の温度（この例では、冷蔵ショーケース内の温度）が測定されて各測定データが測定データ記録装置のＲＡＭに順次記録される。
【０００４】
一方、測定データの回収に際しては、まず、冷蔵ショーケースから取り出した測定データ記録装置を測定データ回収装置の載置部に載置する。次いで、測定データ回収装置のＤＡＴＡＳＡＶＥキーを操作すると、制御部（以下、「回収装置側制御部」ともいう）が、測定データ記録装置に対して送信開始信号を出力する。この際に、測定データ記録装置では、記録装置側制御部が、ＲＡＭに記憶されている測定データを測定データ回収装置に対して出力する。また、測定データ回収装置では、回収装置側制御部が、測定データ記録装置から出力された測定データをＲＡＭに順次記憶させる。これにより、測定データ記録装置から測定データ回収装置への測定データの回収が完了する。この後、測定データ回収装置のＲＡＭに回収した測定データをパーソナルコンピュータに転送することにより、測定データ記録装置を設置した冷蔵ショーケース内の生鮮食品の温度管理状態をパーソナルコンピュータにおいて検査することが可能となる。
【先行技術文献】
【特許文献】
【０００５】
【特許文献１】特開２０００−３３９５７８号公報（第４−６頁、第１−７図）
【発明の概要】
【発明が解決しようとする課題】
【０００６】
ところが、出願人が開示している測定システムには、以下の改善すべき課題が存在する。すなわち、出願人が開示している測定システムでは、各測定データ記録装置において記録された測定データを測定データ回収装置によって回収してパーソナルコンピュータに転送する構成が採用されている。
【０００７】
この場合、この種の測定システムでは、測定データ記録装置の小型化および製造コストの低減を図るために、測定データを記録するためのＲＡＭとして、記憶可能容量が小さな記憶素子が搭載される傾向がある。したがって、この種の測定システムのなかには、記憶可能領域の不足に起因して測定データの記録ができない状態となるのを回避するために、測定データ回収装置による回収が完了した測定データを測定データ記録装置から削除することによって記憶可能領域の不足が生じる事態を回避する構成が採用されたものが存在する。しかしながら、回収が完了した時点において測定データ記録装置から測定データを消去する構成を作用した測定システムにおいては、例えば、測定データ回収装置からパーソナルコンピュータへの測定データの転送に際して操作を誤って測定データ回収装置内の測定データを消去してしまったときに、誤って消去した測定データが測定データ記録装置から既に消去されているため、この測定データを再度回収することができないという問題点がある。
【０００８】
そこで、出願人は、測定データ記録装置のＲＡＭ内にリングバッファ形式の複数の記憶領域を規定して各記憶領域内に先入れ先出し法で測定データを記録させると共に、測定データ回収装置による回収が完了しても測定データを消去せずに測定データ記録装置内に保持させる構成を採用した。このような構成を採用することにより、記憶可能容量が大きな記憶素子を搭載することなく、複数回の測定処理を実行させても測定データを確実に記録することができるだけでなく、測定データ回収装置による回収が完了した後であっても、新たな測定データが上書きされるまで、測定データ記録装置内の測定データをデータ中継装置に何度でも回収することが可能となる。しかしながら、回収が完了した時点において測定データ記録装置の測定データを消去しない構成を採用した測定システムでは、２回目以降の回収処理に際して、直前の回収処理時に既に回収が完了している測定データを含む測定データを回収することとなる。したがって、測定データの回収に要する時間の短縮が困難であると共に、同じ測定データを重複して回収することに起因して測定データ回収装置に大容量のＲＡＭを搭載する必要があるため、その製造コストの低減が困難になるという課題が生じている。
【０００９】
また、この種の測定システムによる測定データの記録に際して数多くの測定データ記録装置を使用するときには、測定データの回収に要する時間を短縮するために、複数台の測定データ回収装置を用いて各測定データ記録装置から測定データを並行して回収するのが好ましい。この点に関し、出願人が開示している測定システムでは、２台以上の測定データ回収装置を用いて各測定データ記録装置から測定データを回収することが可能となっている。具体的には、一例として、２０台の測定データ記録装置を使用するときに、２台の測定データ回収装置を用いて測定データを回収することにより、１台の測定データ回収装置を用いて２０台の測定データ記録装置から測定データを回収するのと比較して、半分程度の時間で測定データを回収することが可能となる。
【００１０】
しかしながら、複数台の測定データ回収装置を用いて測定データを回収する構成を採用した測定システムでは、１台の測定データ記録装置について複数回に亘って回収処理を実行したときに、回収処理の都度、相違する測定データ回収装置によって測定データが回収されて、１台の測定データ記録装置によって記録された一連の測定データが複数台の測定データ回収装置内に分散して回収された状態となることがある。このような状態となったときには、複数台の測定データ回収装置に分散して回収されている一連の測定データを、例えば１台のパーソナルコンピュータに集めて、測定処理の実行順に並べて１つの連続するデータに加工する煩雑なデータ加工作業が必要となる。このため、この点を改善するのが好ましい。
【００１１】
本発明は、かかる課題に鑑みてなされたものであり、測定データの回収に要する時間の短縮を図り、かつ測定データ回収装置に対する大容量の記憶素子の搭載を不要にすると共に、１台の測定データ記録装置によって記録された一連の測定データを煩雑なデータ加工作業を行うことなく１つの連続するデータとして取り扱うことが可能な測定データ回収方法、測定データ回収装置、測定データ記録装置および測定システムを提供することを主目的とする。
【課題を解決するための手段】
【００１２】
上記目的を達成すべく請求項１記載の測定データ回収方法は、測定データ記録装置によって記録された測定データを当該測定データ記録装置から測定データ回収装置に回収する測定データ回収方法であって、前記測定データ記録装置についての記録装置個体情報、前記測定データ記録装置から最新に回収した前記測定データを特定可能な回収データ情報、および前記測定データ記録装置から前記測定データを最新に回収した前記測定データ回収装置を特定可能な回収装置情報を当該測定データ記録装置に記憶させ、かつ、前記測定データ回収装置についての回収装置個体情報、前記測定データ回収装置において前記測定データの回収実績がある前記測定データ記録装置を特定可能な記録装置情報、および前記測定データ回収装置において前記回収実績がある前記測定データ記録装置毎の最新に回収した前記測定データを特定可能な個別回収データ情報を当該測定データ回収装置に記憶させると共に、前記測定データの回収に際して、前記記録装置個体情報に基づいて当該測定データを回収する前記測定データ記録装置を特定すると共に当該特定した測定データ記録装置からの前記測定データの回収実績の有無を前記記録装置情報に基づいて判別し、回収実績があるときに、前記測定データ記録装置から出力された前記回収装置情報に基づいて特定した装置と前記回収装置個体情報に基づいて特定した装置とが一致するか否かを判別し、一致するときに、前記測定データ記録装置から出力された前記回収データ情報に基づいて特定した前記測定データと前記個別回収データ情報に基づいて特定した前記測定データとが一致するか否かを判別し、一致するときに、前記個別回収データ情報に基づいて特定した前記測定データに続いて記録された前記測定データを前記測定データ記録装置から回収し、当該回収した測定データ、および当該測定データを回収した前記測定データ回収装置に対応させて前記回収データ情報および前記回収装置情報を更新し、かつ、当該測定データを回収した前記測定データ記録装置、および当該測定データ記録装置から回収した当該測定データに対応させて前記記録装置情報および前記個別回収データ情報を更新すると共に、前記回収実績がないとき、前記特定した装置が一致しないとき、および前記特定した測定データが一致しないときにその旨を報知する。
【００１３】
また、請求項２記載の測定データ回収方法は、請求項１記載の測定データ回収方法において、前記特定した前記測定データが一致しないときに、前記個別回収データ情報に基づいて特定した前記測定データに続いて記録された前記測定データ、前記回収データ情報に基づいて特定した前記測定データに続いて記録された前記測定データ、および前記測定データ記録装置に記録されているすべての前記測定データのうちの指定されたいずれかを前記測定データ記録装置から回収する。
【００１４】
また、請求項３記載の測定データ回収装置は、入力信号の電気的パラメータを測定して測定データを記録する測定データ記録装置から当該測定データを回収するための測定データ回収装置であって、当該測定データ回収装置についての回収装置個体情報、前記測定データの回収実績がある前記測定データ記録装置を特定可能な記録装置情報、および前記回収実績がある前記測定データ記録装置毎の最新に回収した前記測定データを特定可能な個別回収データ情報を記憶する回収装置側記憶部と、前記測定データ記録装置から前記測定データを回収すると共に、当該測定データを回収した前記測定データ記録装置に対応させて前記記録装置情報を更新し、かつ当該測定データ記録装置から回収した当該測定データに対応させて前記個別回収データ情報を更新する回収装置側制御部とを備え、前記回収装置側制御部が、前記測定データの回収に際して、前記測定データ記録装置に記憶されている当該測定データ記録装置についての記録装置個体情報に基づいて当該測定データを回収する当該測定データ記録装置を特定すると共に当該特定した測定データ記録装置からの前記測定データの回収実績の有無を前記記録装置情報に基づいて判別し、回収実績があるときに、前記測定データ記録装置から出力された回収装置情報に基づいて当該測定データ記録装置から前記測定データを最新に回収した装置を特定すると共に当該特定した装置と前記回収装置個体情報に基づいて特定した装置とが一致するか否かを判別し、一致するときに、前記測定データ記録装置に記憶されている回収データ情報に基づいて当該測定データ記録装置から最新に回収された前記測定データを特定すると共に当該特定した測定データと前記個別回収データ情報に基づいて特定した前記測定データとが一致するか否かを判別し、一致するときに、前記個別回収データ情報に基づいて特定した前記測定データに続いて記録された前記測定データを前記測定データ記録装置から回収すると共に、前記回収実績がないとき、前記特定した装置が一致しないとき、および前記特定した測定データが一致しないときにその旨を報知する。
【００１５】
さらに、請求項４記載の測定データ回収装置は、請求項３記載の測定データ回収装置において、前記回収装置側制御部が、前記特定した前記測定データが一致しないときに、前記個別回収データ情報に基づいて特定した前記測定データに続いて記録された前記測定データ、前記回収データ情報に基づいて特定した前記測定データに続いて記録された前記測定データ、および前記測定データ記録装置に記録されているすべての前記測定データのうちの指定されたいずれかを前記測定データ記録装置から回収する。
【００１６】
また、請求項５記載の測定データ記録装置は、入力信号の電気的パラメータを測定して測定データを記録すると共に、測定データ回収装置からの要求に応じて当該測定データ回収装置に当該測定データを回収させる測定データ記録装置であって、当該測定データ記録装置についての記録装置個体情報、前記測定データ回収装置によって最新に回収された前記測定データを特定可能な回収データ情報、および前記測定データを最新に回収した前記測定データ回収装置を特定可能な回収装置情報を記憶する記録装置側記憶部と、前記測定データ回収装置からの要求に応じて前記記録装置個体情報、前記回収データ情報および前記回収装置情報を当該測定データ回収装置に出力すると共に、前記測定データが回収されたときに、前記回収データ情報および前記回収装置情報を更新する記録装置側制御部とを備えている。
【００１７】
また、請求項６記載の測定システムは、請求項３または４記載の測定データ回収装置と、請求項５記載の測定データ記録装置とを備えて構成されている。
【発明の効果】
【００１８】
本発明では、測定データの回収に際して、測定データを回収する測定データ記録装置をその測定データ記録装置から出力された記録装置個体情報に基づいて特定すると共に、測定データの回収実績がある測定データ記録装置を特定可能に測定データ回収装置に記憶されている記録装置情報に基づいて、上記の特定した測定データ記録装置からの測定データの回収実績の有無を判別し、回収実績があるときに、測定データを最新に回収した測定データ回収装置を特定可能に測定データ記録装置に記憶されている回収装置情報に基づいて特定した装置と、測定データ回収装置に記憶されている回収装置個体情報に基づいて特定した装置とが一致するか否かを判別し、一致するときに、最新に回収された測定データを特定可能に測定データ記録装置に記憶されている回収データ情報に基づいて特定した測定データと、回収実績がある測定データ記録装置毎の最新に回収した測定データを特定可能に測定データ回収装置に記憶されている個別回収データ情報に基づいて特定した測定データとが一致するか否かを判別し、一致するときに、個別回収データ情報に基づいて特定した測定データに続いて記録された測定データを測定データ記録装置から回収し、回収した測定データ、および測定データを回収した測定データ回収装置に対応させて回収データ情報および回収装置情報を更新し、かつ、測定データを回収した測定データ記録装置、および測定データ記録装置から回収した測定データに対応させて記録装置情報および個別回収データ情報を更新すると共に、回収実績がないとき、特定した装置が一致しないとき、および特定した測定データが一致しないときにその旨を報知する。
【００１９】
したがって、本発明に係る測定データ回収方法、測定データ回収装置、測定データ記録装置および測定システムによれば、測定データ回収装置による回収が完了した時点において測定データ記録装置から測定データを消去しない構成を採用したとしても、測定データ回収装置において、記録装置個体情報と記録装置情報とに基づく回収実績の有無の判別、回収装置情報と回収装置個体情報との一致または不一致の判別（自身が最新に測定データを回収した装置であるか否かの判別）、および回収データ情報と個別回収データ情報との一致または不一致の判別（測定データ記録装置から最新に回収された測定データと、測定データ回収装置において、その測定データ記録装置から最新に回収した測定データとの一致または不一致の判別）を実行することで、同じ測定データが測定データ記録装置から測定データ回収装置に重複して回収される事態を十分に回避することができる。したがって、本発明に係る測定データ回収方法、測定データ回収装置、測定データ記録装置および測定システムによれば、測定データの回収に要する時間を十分に短縮することができるだけでなく、測定データ回収装置に対して測定データを記録するための大容量の記憶素子の搭載を不要として測定データ回収装置の製造コストを十分に低減することができると共に、１台の測定データ記録装置によって記録された一連の測定データについて煩雑なデータ加工作業を行うことなく１つの連続するデータとして取り扱うことができる。
【００２０】
この場合、特定した測定データが一致しないときに、個別回収データ情報に基づいて特定した測定データに続いて記録された測定データ、回収データ情報に基づいて特定した測定データに続いて記録された測定データ、および測定データ記録装置に記録されているすべての測定データのうちの指定されたいずれかを測定データ記録装置から回収することにより、例えば、測定データを回収しようとしている測定データ記録装置から、手元にない測定データ回収装置によって既に測定データが回収されている状態であったとしても、その手元にない測定データ回収装置を用意することなく、手元にある測定データ回収装置によって、その測定データ記録装置から測定データを回収することができるため、このような状態において測定データの回収に要する時間を十分に短縮することができる。
【図面の簡単な説明】
【００２１】
【図１】測定システム１００のブロック図である。
【図２】測定データ記録装置１における測定データ回収装置２において実行される測定データ回収処理４０のフローチャートである。
【図３】測定システム１００における測定データ回収方法について説明するための説明図である。
【発明を実施するための形態】
【００２２】
以下、測定システムおよび測定データ回収方法の実施の形態について、添付図面を参照して説明する。
【００２３】
図１に示すように、測定システム１００は、測定データ記録装置１、測定データ回収装置２およびパーソナルコンピュータ３を備えて構成されている。なお、この測定システム１００は、複数台の測定データ記録装置１と複数台の測定データ回収装置２とを備えて構成されているが、測定システム１００についての理解を容易とするために、一例として、２台の測定データ記録装置１および２台の測定データ回収装置２を使用する例について以下に説明する。また、以下の説明において、２台の測定データ記録装置１を区別するときには、一方の測定データ記録装置１を測定データ記録装置１Ａといい、他方の測定データ記録装置１を測定データ記録装置１Ｂともいう。また、以下の説明において、２台の測定データ回収装置２を区別するときには、一方の測定データ回収装置２を測定データ回収装置２Ａといい、他方の測定データ回収装置２を測定データ回収装置２Ｂともいう。
【００２４】
測定データ記録装置１は、一例として、出願人が開示している測定システムにおける測定データ記録装置（同システムでは温度記録装置）と同様にして、周囲の温度の変化に応じて図示しない温度センサによって入力された信号の電気的パラメータ（温度センサに接続された一対の信号ケーブル間の電圧値）を測定して測定データを記録可能に構成されている。具体的には、測定データ記録装置１は、測定部１１、記憶部１２、操作部１３、表示部１４、通信部１５および制御部１６を備えている。測定部１１は、温度センサからの入力信号Ｓｉの電気的パラメータを測定して測定データＤｓを出力する。記憶部１２は、記録装置側記憶部に相当し、一例としてフラッシュメモリで構成されると共に、後述するように、制御部１６が測定データＤｓに基づいて生成した測定データＤｒや、記録装置識別コードＤ１ａ、最新回収データ日時情報Ｄ１ｂ、最新回収データ番号情報Ｄ１ｃおよび回収装置情報Ｄ１ｄなどを記憶する。この場合、この測定データ記録装置１では、一例として、記憶部１２内にリングバッファ形式で最新の所定数の測定データＤｒを順次記録するための複数の記録領域を規定し、この記録領域内に先入れ先出し法に従って測定データＤｒを記録する構成が採用されている。
【００２５】
また、記録装置識別コードＤ１ａは、記録装置個体情報の一例であって、この記録装置識別コードＤ１ａとして、各測定データ記録装置１毎に個別的に付与されたコード（一例として、アルファベットと算用数字とを組み合わせた６〜８桁程度のユニークコード）が記録されている。さらに、最新回収データ日時情報Ｄ１ｂは、回収データ情報の一例であって、この最新回収データ日時情報Ｄ１ｂとして、後述するように、測定データ回収装置２によって最新に回収された測定データＤｒを特定可能に、その測定データＤｒが記録された日時（その測定データＤｒの基となる測定データＤｓが測定された日時）が記録されている。また、最新回収データ番号情報Ｄ１ｃは、回収データ情報の他の一例であって、この最新回収データ番号情報Ｄ１ｃとして、上記のリングバッファ形式の複数の記録領域のうちの「最新に回収された測定データＤｒ」の記録領域の番号（データ番号）が記録されている。
【００２６】
さらに、回収装置情報Ｄ１ｄは、回収装置情報の一例であって、この回収装置情報Ｄ１ｄとして、測定データＤｒを最新に回収した測定データ回収装置２を特定可能に、その測定データ回収装置２に対して個別的に付与された回収装置識別コード（後述する回収装置識別コードＤ２ａの内容）が記録されている。なお、測定データ回収装置２による測定データＤｒの回収が一度も行われていない状態においては、上記の最新回収データ日時情報Ｄ１ｂ、最新回収データ番号情報Ｄ１ｃおよび回収装置情報Ｄ１ｄが未記録の状態、または、予め規定された初期値が記録された状態となっている。
【００２７】
操作部１３は、測定データＤｒの記録処理を開始／停止するためのスタート／ストップスイッチや測定データ記録装置１の動作条件を設定するための各種操作スイッチを備え、スイッチ操作に応じた操作信号を制御部１６に出力する。表示部１４は、一例として液晶表示パネルを備え、制御部１６の制御に従い、測定結果や、測定データ記録装置１の動作状態などの各種の文字情報を表示する。通信部１５は、後述するようにして、測定データ回収装置２から送信された送信要求信号Ｓ１，Ｓ２や回収装置識別コードＤ２ａを受信して制御部１６に転送すると共に、制御部１６の制御に従って上記の記録装置識別コードＤ１ａ、最新回収データ日時情報Ｄ１ｂおよび回収装置情報Ｄ１ｄや測定データＤｒなどを測定データ回収装置２に送信する。この場合、この測定システム１００では、一例として、測定データ記録装置１および測定データ回収装置２の間において赤外線通信による各種信号および各種データの送受信が実行される構成が採用されている。なお、赤外線通信以外の各種無線通信や、ＵＳＢケーブル等の通信ケーブルを介しての有線通信によって各種データの送受信を実行する構成を採用することもできる。
【００２８】
制御部１６は、記録装置側制御部の一例であって、測定データ記録装置１を総括的に制御する。具体的には、制御部１６は、測定部１１を制御して予め設定された時間間隔で測定処理を実行させる。また、制御部１６は、測定処理によって測定部１１から出力された測定データＤｓに基づいて測定データ記録装置１の周囲（温度センサの周囲）の温度を演算して測定データＤｒを生成し、生成した測定データＤｒを記憶部１２に順次記録させる記録処理を実行する。また、制御部１６は、後述するようにして測定データ回収装置２から送信要求信号Ｓ１が送信されたときに、記憶部１２に記憶されている記録装置識別コードＤ１ａ、最新回収データ日時情報Ｄ１ｂおよび回収装置情報Ｄ１ｄを通信部１５から測定データ回収装置２に送信させる。さらに、制御部１６は、後述するようにして測定データ回収装置２から送信要求信号Ｓ２が送信されたときに、記憶部１２に記憶されている各測定データＤｒ，Ｄｒ・・のうちから送信要求信号Ｓ２によって指定された測定データＤｒを通信部１５から測定データ回収装置２に送信させる（測定データＤｒを測定データ回収装置２に回収させる）。また、制御部１６は、測定データ回収装置２によって測定データＤｒが回収されたときに、回収された測定データＤｒ、およびその測定データＤｒを回収した測定データ回収装置２に対応させて、最新回収データ日時情報Ｄ１ｂ、最新回収データ番号情報Ｄ１ｃおよび回収装置情報Ｄ１ｄを更新する。
【００２９】
一方、測定データ回収装置２は、一例として、出願人が開示している測定システムにおける測定データ回収装置（同システムではデータ中継器）と同様にして、各測定データ記録装置１から測定データＤｒを回収すると共に、回収した測定データＤｒをパーソナルコンピュータ３に転送可能に構成されている。具体的には、測定データ回収装置２は、通信部２１、記憶部２２、操作部２３、表示部２４、通信部２５および制御部２６を備えている。通信部２１は、後述するようにして、制御部２６の制御に従って送信要求信号Ｓ１，Ｓ２や回収装置識別コードＤ２ａを測定データ記録装置１に送信すると共に、測定データ記録装置１から送信された記録装置識別コードＤ１ａ、最新回収データ日時情報Ｄ１ｂおよび回収装置情報Ｄ１ｄや測定データＤｒを受信して制御部２６に転送する。記憶部２２は、回収装置側記憶部の一例であって、回収装置識別コードＤ２ａ、記録装置情報Ｄ２ｂ、個別最新回収データ日時情報Ｄ２ｃおよび個別最新回収データ番号情報Ｄ２ｄや、測定データ記録装置１から送信された測定データＤｒ等を記録する。この場合、この測定データ回収装置２では、一例として、記憶部２２内にレコード形式の複数の記憶領域を規定すると共に、測定データ記録装置１から新たな測定データＤｒを回収する度に、その測定データＤｒを対応するレコードに追記する構成が採用されている。
【００３０】
また、回収装置識別コードＤ２ａは、回収装置個体情報の一例であって、この回収装置識別コードＤ２ａとして、各測定データ回収装置２毎に個別的に付与されたコード（一例として、アルファベットと算用数字とを組み合わせた６〜８桁程度のユニークコード）が記録されている。さらに、記録装置情報Ｄ２ｂは、記録装置情報の一例であって、この記録装置情報Ｄ２ｂとして、測定データＤｒの回収実績がある測定データ記録装置１を特定可能に、測定データＤｒを回収した実績がある測定データ記録装置１に対して個別的に付与された記録装置識別コード（前述した記録装置識別コードＤ１ａの内容）が記録されている。また、個別最新回収データ日時情報Ｄ２ｃは、個別回収データ情報の一例であって、この個別最新回収データ日時情報Ｄ２ｃとして、上記の回収実績がある測定データ記録装置１毎の最新に回収した測定データＤｒを特定可能に、回収実績がある測定データ記録装置１の記録装置識別コードに関連付けて、その測定データ記録装置１から回収した最新の測定データＤｒが測定データ記録装置１において記録された日時（その測定データＤｒの基となる測定データＤｓが測定データ記録装置１において測定された日時）が記録されている。
【００３１】
さらに、個別最新回収データ番号情報Ｄ２ｄは、個別回収データ情報の一例であって、この個別最新回収データ番号情報Ｄ２ｄとして、上記のレコード形式の複数の記録領域のうちの「最新に回収した測定データＤｒ」の記録領域の番号（データ番号）が記録されている。なお、測定データ記録装置１に対する測定データＤｒの回収が一度も行われていない状態においては、上記の記録装置情報Ｄ２ｂ、個別最新回収データ日時情報Ｄ２ｃおよび個別最新回収データ番号情報Ｄ２ｄが未記録の状態、または、予め規定された初期値が記録された状態となっている。
【００３２】
操作部２３は、測定データ記録装置１からの測定データＤｒの回収処理を開始するスタートスイッチや、後述するようにして表示部２４に表示されたメッセージに応じて利用者の意志を入力するためのＯＫスイッチやキャンセルスイッチなどの各種操作スイッチを備え、スイッチ操作に応じた操作信号を制御部２６に出力する。表示部２４は、一例として液晶表示パネルを備え、制御部２６の制御に従って各種表示画面（測定データ回収装置２の動作状態を示す動作状態表示画面や、各種メッセージを表示するメッセージ表示画面等）を表示する。通信部２５は、一例として、ＵＳＢケーブルを接続可能な接続コネクタを備え（図示せず）、ＵＳＢケーブルを介してパーソナルコンピュータ３に接続されて、制御部２６の制御に従って測定データ記録装置１から回収した測定データＤｒをパーソナルコンピュータ３に転送する。なお、ＵＳＢケーブル以外の各種通信ケーブルを介しての有線通信や、赤外線通信等の各種無線通信によって測定データ回収装置２からパーソナルコンピュータ３に測定データＤｒ等を転送する構成を採用することもできる。
【００３３】
制御部２６は、回収装置側制御部の一例であって、測定データ回収装置２を総括的に制御する。具体的には、制御部２６は、操作部２３のスタートスイッチが操作されたときに、図２に示す測定データ回収処理４０を開始して、測定データ記録装置１から測定データＤｒを回収して記憶部２２に記憶させる。なお、測定データ回収処理４０については、後に詳細に説明する。また、制御部２６は、上記したように、通信部２５を制御して測定データ記録装置１から回収した測定データＤｒをパーソナルコンピュータ３に転送させる。なお、この測定システム１００では、一例として、専用端末で構成した測定データ回収装置２を備えているが、この測定データ回収装置２に代えて、市販の携帯型パーソナルコンピュータに測定データ回収装置として使用するためのソフトウェアをインストールして測定データ回収装置２と同様に機能させることもできる。
【００３４】
パーソナルコンピュータ３は、各測定データ記録装置１によって記録されて各測定データ回収装置２によって回収された多数の測定データＤｒを統括管理するための装置であって、各測定データ回収装置２によって回収された測定データＤｒを、記録した測定データ記録装置１毎に測定順に並べて連結するソフトウェアがインストールされている。
【００３５】
この測定システム１００による温度測定処理（測定データＤｒの記録処理）に際しては、まず、各測定データ記録装置１に対して測定条件を設定する。この場合、この測定システム１００では、測定データ記録装置１の操作部１３を操作して測定条件を設定する設定方法、測定データ回収装置２の操作部２３を操作して設定した設定条件を測定データ記録装置１に転送して設定する設定方法、およびパーソナルコンピュータ３において設定した測定条件を測定データ回収装置２を介して測定データ記録装置１に転送して設定する設定方法のうちの任意の設定方法によって測定データ記録装置１の測定条件を設定することが可能となっている。この際には、一例として、測定データ記録装置１の操作部１３を操作することにより、所定の時刻から３０分間隔で温度を測定して測定データＤｒを記録するように設定する。次いで、測定条件の設定が完了した各測定データ記録装置１を冷蔵ショーケース内に設置する。
【００３６】
この状態において、測定データ記録装置１では、制御部１６が、設定された測定条件に従い、測定処理の実行時刻が到来したときに測定部１１を制御して入力信号Ｓｉについての測定処理を実行させる。これに応じて、測定部１１は、温度センサからの入力信号Ｓｉの電気的パラメータを測定して測定データＤｓを出力する。また、制御部１６は、測定部１１から出力された測定データＤｓに基づき、測定データ記録装置１の周囲（温度センサの周囲）の温度を演算して測定データＤｒを生成し、生成した測定データＤｒを記憶部１２の１番目の記憶領域に記憶させる。この後、制御部１６は、設定された測定条件に従い、３０分おきに測定部１１を制御して測定処理を実行させると共に、測定部１１から出力された測定データＤｓに基づいて測定データＤｒを生成して記憶部２２の２番目以降の記憶領域に順次記憶させる。これにより、測定データ記録装置１の記憶部２２に３０分間隔で生成された複数の測定データＤｒが記憶される。
【００３７】
一方、測定データ回収装置２によって測定データ記録装置１から測定データＤｒを回収する際には、冷蔵ショーケースから測定データ記録装置１を取り出すと共に、測定データ記録装置１の通信部１５と、測定データ回収装置２の通信部２１とを対向させた状態において、測定データ回収装置２における操作部２３のスタートスイッチを操作する。この際には、操作部２３からの操作信号に応じて、制御部２６が、図２に示す測定データ回収処理４０を開始する。この測定データ回収処理４０では、制御部２６は、まず、測定データ記録装置１から記録装置識別コードＤ１ａ、最新回収データ日時情報Ｄ１ｂおよび回収装置情報Ｄ１ｄを取得する（ステップ４１）。具体的には、制御部２６は、通信部２１を制御して、測定データ記録装置１に対して上記の各情報を要求する送信要求信号Ｓ１を送信させる。また、測定データ記録装置１では、制御部１６が通信部１５によって受信された送信要求信号Ｓ１に応じて、記憶部１２から記録装置識別コードＤ１ａ、最新回収データ日時情報Ｄ１ｂおよび回収装置情報Ｄ１ｄを読み出すと共に、通信部１５を制御して、測定データ回収装置２に対して送信させる。
【００３８】
これに応じて、測定データ回収装置２では、制御部２６が、取得した記録装置識別コードＤ１ａに基づき、この測定データ回収処理４０において測定データＤｒを回収しようとしている測定データ記録装置１を特定すると共に、特定した測定データ記録装置１からの測定データＤｒの回収実績の有無（過去に測定データＤｒを回収した実績があるか否か）を記録装置情報Ｄ２ｂに基づいて判別する（ステップ４２）。この際に、記録装置識別コードＤ１ａに基づいて特定した測定データ記録装置１からの測定データＤｒの回収実績がないとき（取得した記録装置識別コードＤ１ａの測定データ記録装置１の個体情報（識別コード）が記録装置情報Ｄ２ｂに記録されていないとき）には、制御部２６は、一例として、図示しないスピーカからブザー音を出力すると共に、「測定データを回収しようとしている記録装置から、この回収装置によって測定データを回収するのは今回が初めてです。測定データの回収処理を続行しても宜しいですか？」とのメッセージを表示部２４に表示させる（「その旨の報知」の一例：ステップ４３）。
【００３９】
この際に、利用者によって操作部２３のキャンセルスイッチが操作されたとき（回収実行の指示がなかったとき）には（ステップ４４）、制御部２６は、この測定データ回収処理４０を終了する。また、利用者によって操作部２３のＯＫスイッチが操作されたとき（回収実行の指示が行われたとき）には（ステップ４４）、制御部２６は、測定データ記録装置１に記録されているすべての測定データＤｒを回収する（ステップ４５）。具体的には、制御部２６は、通信部２１を制御して、測定データ記録装置１に対して記録されているすべての測定データＤｒの送信を要求する送信要求信号Ｓ２、および記憶部２２に記憶されている回収装置識別コードＤ２ａを送信させる。これに応じて、測定データ記録装置１では、制御部１６が記憶部２２の各記憶領域に記憶させているすべての測定データＤｒを読み出すと共に、通信部１５を制御して、測定データ回収装置２に対して送信させる。
【００４０】
また、制御部１６は、測定データ回収装置２に対して送信した測定データＤｒ（測定データ回収装置２によって最新に回収された測定データＤｒ）に対応させて最新回収データ日時情報Ｄ１ｂおよび最新回収データ番号情報Ｄ１ｃを更新すると共に、その測定データＤｒを回収した測定データ回収装置２の回収装置識別コードＤ２ａに対応させて回収装置情報Ｄ１ｄを更新する。具体的には、制御部１６は、送信要求信号Ｓ２に応じて測定データ回収装置２に送信した測定データＤｒのうちの最新の測定データＤｒ（測定データ回収装置２による回収が完了した測定データＤｒのうちの最新に生成された測定データＤｒ）の基となる測定データＤｓの測定日時（すなわち、測定データＤｒの記録日時）に最新回収データ日時情報Ｄ１ｂを更新すると共に、その最新の測定データＤｒを記憶させた記憶領域の番号（データ番号）に最新回収データ番号情報Ｄ１ｃを更新する。また、制御部１６は、送信要求信号Ｓ２と共に測定データ回収装置２から送信された回収装置識別コードＤ２ａ（測定データ回収装置の個体情報）に回収装置情報Ｄ１ｄを更新する。
【００４１】
また、測定データ回収装置２では、制御部２６が、測定データ記録装置１から送信されて通信部２１によって受信された測定データＤｒ（測定データ記録装置１から回収した測定データＤｒ）を記憶部２２に記憶させる。さらに、制御部２６は、測定データＤｒを回収した測定データ記録装置１から取得した記録装置識別コードＤ１ａに対応させて記録装置情報Ｄ２ｂを更新すると共に、測定データ記録装置１から回収した測定データＤｒのうちの最新の測定データＤｒに対応させてその測定データＤｒを回収した測定データ記録装置１についての個別最新回収データ日時情報Ｄ２ｃおよび個別最新回収データ番号情報Ｄ２ｄを更新して（ステップ４６）、この測定データ回収処理４０を終了する。具体的には、制御部２６は、取得した記録装置識別コードＤ１ａ（測定データ記録装置１の個体情報）に記録装置情報Ｄ２ｂを更新し、上記の測定データ記録装置１についての個別最新回収データ日時情報Ｄ２ｃを最新の測定データＤｒの記録日時に更新すると共に、上記の測定データ記録装置１についての個別最新回収データ番号情報Ｄ２ｄを最新の測定データＤｒを記憶させた記憶部２２内の記憶領域の番号（データ番号）に更新して、各情報の更新が完了した時点において、測定データ回収処理４０を終了する。
【００４２】
一方、取得した記録装置識別コードＤ１ａに基づいて特定した測定データ記録装置１からの測定データＤｒの回収実績があると判別したとき（過去に測定データＤｒを回収したことがあるとき：記録装置識別コードＤ１ａに基づいて特定した測定データ記録装置１のコードが記録装置情報Ｄ２ｂ内に存在するとき）には（ステップ４２）、制御部２６は、この測定データ回収処理４０によって測定データＤｒを回収しようとしている測定データ記録装置１から測定データＤｒを最新に回収した測定データ回収装置２が自身であるか（自身が測定データＤｒを最新に回収した装置であるか）を判別する（ステップ４７）。具体的には、制御部２６は、記憶部２２に記憶されている回収装置識別コードＤ２ａに基づいて特定した装置（自身）と、取得した記録装置識別コードＤ１ａに基づいて特定した装置とが一致するか否かを判別する。
【００４３】
この際に、両装置が一致しないとき、すなわち、自身が測定データＤｒを最新に回収した装置ではないときには、制御部２６は、一例として、図示しないスピーカからブザー音を出力すると共に、「測定データを回収しようとしている記録装置から他の回収装置によって測定データが回収されています。この記録装置からの測定データの回収処理を続行しても宜しいですか？」とのメッセージを表示部２４に表示させる（「その旨の報知」の一例：ステップ４８）。この際に、利用者によって操作部２３のキャンセルスイッチが操作されたとき（回収実行の指示がなかったとき）には（ステップ４９）、制御部２６は、この測定データ回収処理４０を終了する。
【００４４】
また、利用者によって操作部２３のＯＫスイッチが操作されたとき（回収実行の指示が行われたとき）には（ステップ４９）、制御部２６は、一例として、図示しないスピーカからブザー音を出力すると共に、「他の回収装置によって既に回収された測定データを除いて回収しますか？」とのメッセージを表示部２４に表示させる（ステップ５０）。この際に、利用者によって操作部２３のＯＫスイッチが操作されたとき（すなわち、測定データ記録装置１から取得した最新回収データ日時情報Ｄ１ｂに応じて測定データＤｒを回収する旨の指示があったとき）には（ステップ５１）、制御部２６は、対応する測定データＤｒ（この例では、最新回収データ日時情報Ｄ１ｂに基づいて特定した測定データＤｒに続いて記録された測定データＤｒ）を測定データ記録装置１から回収する（ステップ５２）。具体的には、制御部２６は、通信部２１を制御して、最新回収データ日時情報Ｄ１ｂに基づいて特定した測定データＤｒに続いて記録された測定データＤｒの送信を要求する送信要求信号Ｓ２、および記憶部２２に記憶されている回収装置識別コードＤ２ａを送信させる。
【００４５】
これに応じて、測定データ記録装置１では、最新回収データ日時情報Ｄ１ｂに対応する測定データＤｒの記録以降に記録した測定データＤｒ、すなわち、最新回収データ番号情報Ｄ１ｃに対応する番号（データ番号）の次以降の番号（データ番号）の測定データＤｒを記憶部２２から読み出すと共に、通信部１５を制御して、測定データ回収装置２に対して送信させる。また、制御部１６は、測定データ回収装置２に対して送信した測定データＤｒ（測定データ回収装置２によって最新に回収された測定データＤｒ）に対応させて最新回収データ日時情報Ｄ１ｂおよび最新回収データ番号情報Ｄ１ｃを更新すると共に、その測定データＤｒを回収した測定データ回収装置２の回収装置識別コードＤ２ａに対応させて回収装置情報Ｄ１ｄを更新する。
【００４６】
また、測定データ回収装置２では、制御部２６が、測定データ記録装置１から送信されて通信部２１によって受信された測定データＤｒ（測定データ記録装置１から回収した測定データＤｒ）を記憶部２２に記憶させる。さらに、制御部２６は、測定データＤｒを回収した測定データ記録装置１から取得した記録装置識別コードＤ１ａ（個体情報）に記録装置情報Ｄ２ｂを更新すると共に、測定データ記録装置１から回収した測定データＤｒのうちの最新の測定データＤｒを回収した測定データ記録装置１についての個別最新回収データ日時情報Ｄ２ｃおよび個別最新回収データ番号情報Ｄ２ｄを更新して（ステップ４６）、この測定データ回収処理４０を終了する。
【００４７】
また、「他の回収装置によって既に回収された測定データを除いて回収しますか？」とのメッセージの表示の後に（ステップ５０）、利用者によって操作部２３のキャンセルスイッチが操作されたときには（ステップ５１）、制御部２６は、一例として、図示しないスピーカからブザー音を出力すると共に、「この回収装置によって未回収の測定データだけを回収しますか？  キャンセルの場合には、記録装置に記録されているすべての測定データを回収します」とのメッセージを表示部２４に表示させる（ステップ５３）。この際に、利用者によって操作部２３のＯＫスイッチが操作されたとき（すなわち、記憶部２２に記憶されている個別最新回収データ日時情報Ｄ２ｃに応じて測定データＤｒを回収する旨の指示があったとき）には（ステップ５４）、制御部２６は、測定データ回収装置２による回収が完了していない測定データＤｒだけを測定データ記録装置１から回収する（ステップ５５）。具体的には、制御部２６は、通信部２１を制御して、個別最新回収データ日時情報Ｄ２ｃに基づいて特定した測定データＤｒに続いて記録された測定データＤｒの送信を要求する送信要求信号Ｓ２、および記憶部２２に記憶されている回収装置識別コードＤ２ａを送信させる。
【００４８】
これに応じて、測定データ記録装置１では、送信要求信号Ｓ２によって要求された測定データＤｒ（この例では、送信要求信号Ｓ２を送信した測定データ回収装置２による回収が完了していないすべての測定データＤｒ）を記憶部２２から読み出すと共に、通信部１５を制御して、測定データ回収装置２に対して送信させる。この場合、この測定システム１００では、測定データ記録装置１が記憶部１２内にリングバッファ形式の複数の記憶領域が規定されて、測定データ回収装置２による回収が完了しても測定データＤｒを消去しない構成を採用している。したがって、送信要求信号Ｓ２を送信した測定データ回収装置２以外の測定データ回収装置２による回収が完了した測定データＤｒが記憶部１２内に記憶されているため、送信要求信号Ｓ２を送信した測定データ回収装置２に対して、未回収の測定データＤｒを確実に送信することが可能となっている。
【００４９】
また、制御部１６は、測定データ回収装置２に対して送信した測定データＤｒ（測定データ回収装置２によって最新に回収された測定データＤｒ）に最新回収データ日時情報Ｄ１ｂおよび最新回収データ番号情報Ｄ１ｃを更新すると共に、その測定データＤｒを回収した測定データ回収装置２の回収装置識別コードＤ２ａに回収装置情報Ｄ１ｄを更新する。さらに、測定データ回収装置２では、制御部２６が、測定データ記録装置１から送信されて通信部２１によって受信された測定データＤｒ（測定データ記録装置１から回収した測定データＤｒ）を記憶部２２に記憶させる。さらに、制御部２６は、測定データＤｒを回収した測定データ記録装置１から取得した記録装置識別コードＤ１ａに記録装置情報Ｄ２ｂを更新すると共に、測定データ記録装置１から回収した測定データＤｒのうちの最新の測定データＤｒを回収した測定データ記録装置１についての個別最新回収データ日時情報Ｄ２ｃおよび個別最新回収データ番号情報Ｄ２ｄを更新して（ステップ４６）、この測定データ回収処理４０を終了する。）
【００５０】
また、「この回収装置によって未回収の測定データだけを回収しますか？  キャンセルの場合には、記録装置に記録されているすべての測定データを回収します」とのメッセージの表示の後に（ステップ５３）、利用者によって操作部２３のキャンセルスイッチが操作されたときには、制御部２６は、測定データ記録装置１に記録されているすべての測定データＤｒを回収する（ステップ４５）。具体的には、制御部２６は、通信部２１を制御して、測定データ記録装置１に対して記録されているすべての測定データＤｒの送信を要求する送信要求信号Ｓ２、および記憶部２２に記憶されている回収装置識別コードＤ２ａを送信させる。
【００５１】
これに応じて、測定データ記録装置１では、制御部１６が、記憶部２２の各記憶領域に記憶させているすべての測定データＤｒを読み出すと共に、通信部１５を制御して、測定データ回収装置２に対して送信させる。また、制御部１６は、測定データ回収装置２に対して送信した測定データＤｒ（測定データ回収装置２によって最新に回収された測定データＤｒ）に最新回収データ日時情報Ｄ１ｂおよび最新回収データ番号情報Ｄ１ｃを更新すると共に、その測定データＤｒを回収した測定データ回収装置２の回収装置識別コードＤ２ａに回収装置情報Ｄ１ｄを更新する。
【００５２】
また、測定データ回収装置２では、制御部２６が、測定データ記録装置１から送信されて通信部２１によって受信された測定データＤｒ（測定データ記録装置１から回収した測定データＤｒ）を記憶部２２に記憶させる。さらに、制御部２６は、測定データＤｒを回収した測定データ記録装置１から取得した記録装置識別コードＤ１ａに記録装置情報Ｄ２ｂを更新すると共に、測定データ記録装置１から回収した測定データＤｒのうちの最新の測定データＤｒを回収した測定データ記録装置１についての個別最新回収データ日時情報Ｄ２ｃおよび個別最新回収データ番号情報Ｄ２ｄを更新して（ステップ４６）、この測定データ回収処理４０を終了する。
【００５３】
一方、この測定データ回収処理４０によって測定データＤｒを回収しようとしている測定データ記録装置１から測定データＤｒを最新に回収した測定データ回収装置２が自身であるとき（自身が測定データＤｒを最新に回収した装置であるとき）には（ステップ４７）、制御部２６は、測定データ記録装置１から取得した最新回収データ日時情報Ｄ１ｂの内容と、その測定データ記録装置１についての個別最新回収データ日時情報Ｄ２ｃの内容とが一致するか否か（測定データ記録装置１と測定データ回収装置２とで最新回収日時が一致するか否か）を判別する（ステップ５６）。この際に、最新回収データ日時情報Ｄ１ｂおよび個別最新回収データ日時情報Ｄ２ｃのいずれかの破損や記録不良に起因して、最新回収日時が一致しないときには、制御部２６は、一例として、図示しないスピーカからブザー音を出力すると共に、「この回収装置の管理情報と測定データを回収しようとしている記録装置の管理情報とが一致しません。回収処理を続行しますか？」とのメッセージを表示部２４に表示させる（ステップ５７）。
【００５４】
この際に、利用者によって操作部２３のキャンセルスイッチが操作されたとき（回収実行の指示がなかったとき）には（ステップ５８）、制御部２６は、この測定データ回収処理４０を終了する。また、利用者によって操作部２３のＯＫスイッチが操作されたとき（回収実行の指示が行われたとき）には（ステップ５８）、制御部２６は、一例として、図示しないスピーカからブザー音を出力すると共に、「他の回収装置によって既に回収された測定データを除いて回収しますか？」とのメッセージを表示部２４に表示させる（ステップ５０）。なお、このメッセージの表示以降の処理については、前述した一連の処理と同様のため、その説明を省略する。
【００５５】
また、測定データ記録装置１から取得した最新回収データ日時情報Ｄ１ｂの内容と、その測定データ記録装置１についての個別最新回収データ日時情報Ｄ２ｃの内容とが一致するとき（測定データ記録装置１と測定データ回収装置２とで最新回収日時が一致するとき）には（ステップ５６）、制御部２６は、対応する測定データＤｒ（この例では、最新回収データ日時情報Ｄ１ｂおよび個別最新回収データ日時情報Ｄ２ｃに基づいて特定した測定データＤｒに続いて記録された測定データＤｒ）を測定データ記録装置１から回収して（ステップ５２）、この測定データ回収処理４０を終了する。なお、測定データＤｒの回収と、その後に実行される各種情報の更新（ステップ４６）については、前述した一連の処理と同様のため、その説明を省略する。
【００５６】
このように、この測定システム１００では、測定データ記録装置１および測定データ回収装置２の使用状態や、利用者の意志に応じて、様々な形態で測定データ記録装置１から測定データＤｒが回収される。また、測定データ回収装置２に回収された測定データＤｒは、ＵＳＢケーブルを介してパーソナルコンピュータ３に転送され、パーソナルコンピュータ３において、各種の分析処理が実行される。
【００５７】
次に、未使用の２台の測定データ記録装置１Ａ，１Ｂ、および未使用の２台の測定データ回収装置２Ａ，２Ｂを使用して測定データＤｒの記録および回収を実行する例を挙げて、測定システム１００の使用方法について、図３を参照してさらに具体的に説明する。なお、測定データ記録装置１Ａ，１Ｂに対する測定条件の設定や、測定データ記録装置１Ａ，１Ｂの測定場所への設置は既に完了しており、測定データ記録装置１Ａ，１Ｂによる測定データＤｒの記録が開始されているものとする。
【００５８】
同図における上側の四角の枠内に示すように、未使用の測定データ記録装置１Ａ，１Ｂによる測定処理（測定データＤｒの記録処理）を開始した時点ｔ０においては、測定データ記録装置１Ａの記録装置識別コードＤ１ａとして測定データ記録装置１Ａの個体情報（同図では、この個体情報を「１Ａ」との文字列で表している）が記憶されると共に、測定データ記録装置１Ｂの記録装置識別コードＤ１ａとしてに測定データ記録装置１Ｂの個体情報（同図では、この個体情報を「１Ｂ」との文字列で表している）が記憶され、かつ、最新回収データ日時情報Ｄ１ｂ、最新回収データ番号情報Ｄ１ｃおよび回収装置情報Ｄ１ｄとして初期値（同図では、初期値を「ｘ」との文字列で表している）が記録された状態となっている。また、未使用の測定データ回収装置２Ａ，２Ｂでは、上記の時点ｔ０において、測定データ回収装置２Ａの回収装置識別コードＤ２ａとして測定データ回収装置２Ａの個体情報（同図では、この個体情報を「２Ａ」との文字列で表している）が記憶されると共に、測定データ回収装置２Ｂの回収装置識別コードＤ２ａとして測定データ回収装置２Ｂの個体情報（同図では、この個体情報を「２Ｂ」との文字列で表している）が記憶され、かつ、記録装置情報Ｄ２ｂ、個別最新回収データ日時情報Ｄ２ｃおよび個別最新回収データ番号情報Ｄ２ｄとして初期値（同図では、初期値を「ｘ」との文字列で表している）が記録された状態となっている。
【００５９】
一方、測定データ記録装置１Ａ，１Ｂによる測定処理が幾度か実行された時点ｔ１において、測定データ回収装置２Ａによって測定データ記録装置１Ａから測定データＤｒを回収するときには、測定データ回収装置２Ａから測定データ記録装置１Ａに送信要求信号Ｓ１が送信され、これに応じて、測定データ記録装置１Ａが測定データ回収装置２Ａに記録装置識別コードＤ１ａ、最新回収データ日時情報Ｄ１ｂおよび回収装置情報Ｄ１ｄを送信する。この際に、測定データ記録装置１Ａでは、記録装置識別コードＤ１ａとして測定データ記録装置１Ａの個体情報を送信すると共に、測定データ回収装置２Ａ，２Ｂによる測定データＤｒの回収が一度も実行されていない状態のため、最新回収データ日時情報Ｄ１ｂおよび回収装置情報Ｄ１ｄとして初期値を送信する。また、測定データ回収装置２Ａにおいて回収続行が指示されたときには、測定データ回収装置２Ａから測定データ記録装置１Ａに測定データＤｒの送信を要求する送信要求信号Ｓ２と、測定データ回収装置２Ａの固体情報が記録された回収装置識別コードＤ２ａが送信される。
【００６０】
これに応じて、測定データ記録装置１Ａでは、送信要求信号Ｓ２に対応する測定データＤｒを測定データ回収装置２Ａに送信すると共に、送信した測定データＤｒのうちの最新の測定データＤｒに対応させて最新回収データ日時情報Ｄ１ｂおよび最新回収データ番号情報Ｄ１ｃを更新し、かつ、測定データ回収装置２Ａから送信された回収装置識別コードＤ２ａに対応させて、回収装置情報Ｄ１ｄを測定データ回収装置２Ａの個体情報（識別コード）に更新する。また、測定データ回収装置２Ａでは、測定データ記録装置１Ａから送信された測定データＤｒを記憶部２２に記憶させると共に、測定データ記録装置１Ａから送信された記録装置識別コードＤ１ａ（測定データ記録装置１Ａの個体情報）を初期値に代えて記録装置情報Ｄ２ｂに記録すると共に、記憶部２２に記憶させた（測定データ記録装置１Ａから回収した）測定データＤｒのうちの最新の測定データＤｒに対応させて、測定データ記録装置１Ａについての個別最新回収データ日時情報Ｄ２ｃおよび個別最新回収データ番号情報Ｄ２ｄを初期値に代えて記録する。これにより、測定データ回収装置２Ａによる測定データ記録装置１Ａからの測定データＤｒの回収処理が完了する。
【００６１】
また、その後暫く経過した時点ｔ２において、測定データ回収装置２Ａによって測定データ記録装置１Ｂから測定データＤｒを回収するときには、測定データ回収装置２Ａから測定データ記録装置１Ｂに送信要求信号Ｓ１が送信され、これに応じて、測定データ記録装置１Ｂが測定データ回収装置２Ａに記録装置識別コードＤ１ａ、最新回収データ日時情報Ｄ１ｂおよび回収装置情報Ｄ１ｄを送信する。この際に、測定データ記録装置１Ｂでは、記録装置識別コードＤ１ａとして測定データ記録装置１Ｂの個体情報を送信すると共に、測定データ回収装置２Ａ，２Ｂによる測定データＤｒの回収が一度も実行されていない状態のため、最新回収データ日時情報Ｄ１ｂおよび回収装置情報Ｄ１ｄとして初期値を送信する。また、測定データ回収装置２Ａにおいて回収続行が指示されたときには、測定データ回収装置２Ａから測定データ記録装置１Ｂに測定データＤｒの送信を要求する送信要求信号Ｓ２と、測定データ回収装置２Ａの固体情報が記録された回収装置識別コードＤ２ａが送信される。
【００６２】
これに応じて、測定データ記録装置１Ｂでは、送信要求信号Ｓ２に対応する測定データＤｒを測定データ回収装置２Ａに送信すると共に、送信した測定データＤｒのうちの最新の測定データＤｒに最新回収データ日時情報Ｄ１ｂおよび最新回収データ番号情報Ｄ１ｃを更新し、かつ、測定データ回収装置２Ａから送信された回収装置識別コードＤ２ａ（測定データ回収装置２Ａの個体情報）に回収装置情報Ｄ１ｄを更新する。また、測定データ回収装置２Ａでは、測定データ記録装置１Ｂから送信された測定データＤｒを記憶部２２に記憶させると共に、測定データ記録装置１Ｂから送信された記録装置識別コードＤ１ａ（測定データ記録装置１Ｂの個体情報）に記録装置情報Ｄ２ｂを追加すると共に、記憶部２２に記憶させた（測定データ記録装置１Ｂから回収した）測定データＤｒのうちの最新の測定データＤｒに対応させて、測定データ記録装置１Ｂについての個別最新回収データ日時情報Ｄ２ｃおよび個別最新回収データ番号情報Ｄ２ｄを初期値に代えて記録する。これにより、測定データ回収装置２Ａによる測定データ記録装置１Ｂからの測定データＤｒの回収処理が完了する。
【００６３】
さらに、その後暫く経過した時点ｔ３において、測定データ回収装置２Ｂによって測定データ記録装置１Ａから測定データＤｒを回収するときには、測定データ回収装置２Ｂから測定データ記録装置１Ａに送信要求信号Ｓ１が送信され、これに応じて、測定データ記録装置１Ａが測定データ回収装置２Ａに記録装置識別コードＤ１ａ、最新回収データ日時情報Ｄ１ｂおよび回収装置情報Ｄ１ｄを送信する。この際に、測定データ回収装置２Ａによる測定データＤｒの回収が実行されているため、最新回収データ日時情報Ｄ１ｂとして、測定データ回収装置２Ａによる回収が完了している測定データＤｒのうちの最新の測定データＤｒについての日時情報を送信すると共に、回収装置情報Ｄ１ｄとして、測定データ回収装置２Ａの個体情報を送信する。この際には、測定データ回収装置２Ｂにおいて前述したように、他の回収装置（この例では、測定データ回収装置２Ａ）による回収が実行された旨のメッセージが表示され、これを見た利用者が、一例として、キャンセルスイッチを操作して、測定データＤｒの回収処理を中断する。
【００６４】
この際には、測定データＤｒの回収が実行されなかったため、測定データ記録装置１Ａの最新回収データ日時情報Ｄ１ｂ、最新回収データ番号情報Ｄ１ｃおよび回収装置情報Ｄ１ｄが更新されずに、測定データ回収装置２Ｂから送信要求信号Ｓ１が送信された時点ｔ３の状態が維持される。また、測定データＤｒの回収を実行しなかった測定データ回収装置２Ｂにおいても、記録装置情報Ｄ２ｂ、個別最新回収データ日時情報Ｄ２ｃおよび個別最新回収データ番号情報Ｄ２ｄが更新されずに、送信要求信号Ｓ１を送信した時点ｔ３の状態が維持される。
【００６５】
一方、その後暫く経過した時点ｔ４において、測定データ回収装置２Ｂによって測定データ記録装置１Ｂから測定データＤｒを回収するときには、測定データ回収装置２Ｂから測定データ記録装置１Ｂに送信要求信号Ｓ１が送信され、これに応じて、測定データ記録装置１Ｂが測定データ回収装置２Ｂに記録装置識別コードＤ１ａ、最新回収データ日時情報Ｄ１ｂおよび回収装置情報Ｄ１ｄを送信する。この際に、測定データ記録装置１Ｂでは、測定データ回収装置２Ａによる測定データＤｒの回収が実行されているため、最新回収データ日時情報Ｄ１ｂとして、測定データ回収装置２Ａによる回収が完了している測定データＤｒのうちの最新の測定データＤｒについての日時情報を送信すると共に、回収装置情報Ｄ１ｄとして、測定データ回収装置２Ａの個体情報を送信する。この際には、測定データ回収装置２Ｂにおいて前述したように、他の回収装置（この例では、測定データ回収装置２Ａ）による回収が実行された旨のメッセージが表示され、これを見た利用者が、回収処理の続行を指示したときに、測定データ回収装置２Ｂから測定データ記録装置１Ｂに測定データＤｒの送信を要求する送信要求信号Ｓ２と、測定データ回収装置２Ｂの固体情報が記録された回収装置識別コードＤ２ａが送信される。
【００６６】
これに応じて、測定データ記録装置１Ｂでは、送信要求信号Ｓ２に対応する測定データＤｒを測定データ回収装置２Ｂに送信すると共に、送信した測定データＤｒのうちの最新の測定データＤｒに対応させて最新回収データ日時情報Ｄ１ｂおよび最新回収データ番号情報Ｄ１ｃを更新し、かつ、測定データ回収装置２Ｂから送信された回収装置識別コードＤ２ａに対応させて、回収装置情報Ｄ１ｄを測定データ回収装置２Ｂの個体情報に更新する。また、測定データ回収装置２Ｂでは、測定データ記録装置１Ｂから送信された測定データＤｒを記憶部２２に記憶させると共に、測定データ記録装置１Ｂから送信された記録装置識別コードＤ１ａに対応させて記録装置情報Ｄ２ｂに測定データ記録装置１Ｂの個体情報を記録すると共に、記憶部２２に記憶させた（測定データ記録装置１Ｂから回収した）測定データＤｒのうちの最新の測定データＤｒに対応させて、測定データ記録装置１Ｂについての個別最新回収データ日時情報Ｄ２ｃおよび個別最新回収データ番号情報Ｄ２ｄを初期値に代えて記録する。これにより、測定データ回収装置２Ｂによる測定データ記録装置１Ｂからの測定データＤｒの回収処理が完了する。
【００６７】
以上の一連の回収処理が完了した時点においては、測定データ記録装置１Ａによって記録された測定データＤｒのすべてが測定データ回収装置２Ａによって回収され、測定データ記録装置１Ｂによって記録された測定データＤｒが測定データ回収装置２Ａ，２Ｂによって分散して回収された状態となっている。したがって、測定データ記録装置１Ａによって記録された測定データＤｒについては、測定順に並べ替えて繋ぎ合わせる煩雑な作業を行うことなく、１つの連続したデータとしてパーソナルコンピュータ３に転送することが可能となっている。一方、測定データ記録装置１Ｂによって記録された測定データＤｒについては、利用者の意志によって測定データ回収装置２Ａ，２Ｂに分散して記録された状態となっているが、同じ測定データＤｒが測定データ回収装置２Ａ，２Ｂに重複して記録されていないため、測定データ回収装置２Ａ，２Ｂからパーソナルコンピュータ３に転送して、比較的簡単な作業を行うだけで１つの連続したデータとして取り扱うことが可能となる。
【００６８】
このように、測定データ記録装置１および測定データ回収装置２を備えたこの測定システム１００、および測定システム１００における測定データ回収方法では、測定データＤｒの回収に際して、測定データＤｒを回収する測定データ記録装置１をその測定データ記録装置１から出力された記録装置識別コードＤ１ａに基づいて特定すると共に、測定データＤｒの回収実績がある測定データ記録装置１を特定可能に測定データ回収装置２に記憶されている記録装置情報Ｄ２ｂに基づいて、上記の特定した測定データ記録装置１からの測定データＤｒの回収実績の有無を判別し、回収実績があるときに、測定データＤｒを最新に回収した測定データ回収装置２を特定可能に測定データ記録装置１に記憶されている回収装置情報Ｄ１ｄに基づいて特定した装置と、測定データ回収装置２に記憶されている回収装置識別コードＤ２ａに基づいて特定した装置とが一致するか否かを判別し、一致するときに、最新に回収された測定データＤｒを特定可能に測定データ記録装置１に記憶されている最新回収データ日時情報Ｄ１ｂに基づいて特定した測定データＤｒと、回収実績がある測定データ記録装置１毎の最新に回収した測定データＤｒを特定可能に測定データ回収装置２に記憶されている個別最新回収データ日時情報Ｄ２ｃに基づいて特定した測定データＤｒとが一致するか否かを判別し、一致するときに、個別最新回収データ日時情報Ｄ２ｃに基づいて特定した測定データＤｒに続いて記録された測定データＤｒを測定データ記録装置１から回収し、回収した測定データＤｒ、および測定データＤｒを回収した測定データ回収装置２に対応させて最新回収データ日時情報Ｄ１ｂ、最新回収データ番号情報Ｄ１ｃおよび回収装置情報Ｄ１ｄを更新し、かつ、測定データＤｒを回収した測定データ記録装置１、および測定データ記録装置１から回収した測定データＤｒに対応させて記録装置情報Ｄ２ｂ、個別最新回収データ日時情報Ｄ２ｃおよび個別最新回収データ番号情報Ｄ２ｄを更新すると共に、回収実績がないとき、特定した装置が一致しないとき、および特定した測定データＤｒが一致しないときにその旨を報知する。
【００６９】
したがって、この測定システム１００、および測定システム１００における測定データ回収方法によれば、測定データ回収装置２による回収が完了した時点において測定データ記録装置１から測定データＤｒを消去しない構成を採用したとしても、測定データ回収装置２において、記録装置識別コードＤ１ａと記録装置情報Ｄ２ｂとに基づく回収実績の有無の判別、回収装置情報Ｄ１ｄと回収装置識別コードＤ２ａとの一致または不一致の判別（自身が最新に測定データＤｒを回収した装置であるか否かの判別）、および最新回収データ日時情報Ｄ１ｂと個別最新回収データ日時情報Ｄ２ｃとの一致または不一致の判別（測定データ記録装置１から最新に回収された測定データＤｒと、測定データ回収装置２において、その測定データ記録装置１から最新に回収した測定データＤｒとの一致または不一致の判別）を実行することで、同じ測定データＤｒが測定データ記録装置１から測定データ回収装置２に重複して回収される事態を十分に回避することができる。したがって、この測定システム１００、および測定システム１００における測定データ回収方法によれば、測定データＤｒの回収に要する時間を十分に短縮することができるだけでなく、測定データ回収装置２に対して測定データＤｒを記録するための大容量の記憶素子の搭載を不要として測定データ回収装置２の製造コストを十分に低減することができると共に、１台の測定データ記録装置１によって記録された一連の測定データＤｒについて煩雑なデータ加工作業を行うことなく１つの連続するデータとして取り扱うことができる。
【００７０】
この場合、特定した測定データＤｒが一致しないときに、個別最新回収データ日時情報Ｄ２ｃおよび個別最新回収データ番号情報Ｄ２ｄに基づいて特定した測定データＤｒに続いて記録された測定データＤｒ、最新回収データ日時情報Ｄ１ｂおよび最新回収データ番号情報Ｄ１ｃに基づいて特定した測定データＤｒに続いて記録された測定データＤｒ、および測定データ記録装置１に記録されているすべての測定データＤｒのうちの指定されたいずれかを測定データ記録装置１から回収することにより、例えば、測定データＤｒを回収しようとしている測定データ記録装置１から、手元にない測定データ回収装置２によって既に測定データＤｒが回収されている状態であったとしても、その手元にない測定データ回収装置２を用意することなく、手元にある測定データ回収装置２によって、その測定データ記録装置１から測定データＤｒを回収することができるため、このような状態において測定データＤｒの回収に要する時間を十分に短縮することができる。
【００７１】
なお、測定データ記録装置１および測定データ回収装置２の間において、赤外線通信等の無線通信、または、各種通信ケーブルを介しての有線通信によって各種データを送受信する構成を例に挙げて説明したが、測定データ記録装置１および測定データ回収装置２の双方にメモリカード装着部を設けると共に、このメモリカード装着部に装着可能なリムーバブルメモリを介して各種データを相互に転送する構成を採用することもできる。また、インターネット通信網や公衆回線網などの各種通信網を介して各種データの送受信を実行する構成を採用することもできる。
【００７２】
同様にして、測定データ回収装置２からパーソナルコンピュータ３に対して、ＵＳＢケーブルを介しての有線通信、または、各種無線通信によって測定データＤｒを転送する構成を例に挙げて説明したが、測定データ回収装置２およびパーソナルコンピュータ３の双方にメモリカード装着部を設ける（または、測定データ回収装置２に対してメモリカード装着部を設け、かつ、メモリカード装着部を備えた端末をパーソナルコンピュータ３として用意する）と共に、このメモリカード装着部に装着可能なリムーバブルメモリを介して測定データ回収装置２からパーソナルコンピュータ３に測定データＤｒを転送する構成や、各種通信網を介して測定データＤｒを転送する構成を採用することもできる。
【００７３】
また、ブザー音の出力およびメッセージの表示によって「その旨」を報知する構成の測定データ回収装置２を例に挙げて説明したが、メッセージの表示だけで報知する構成、専用のインジケータの点灯状態によって報知する構成、および音声メッセージの出力によって報知する構成などを採用することもできる。さらに、電気的パラメータとして温度を例に挙げて説明したが、これに限らず、電圧、電流、電力、気圧、水圧および照度などの各種パラメータの測定に適用が可能である。
【符号の説明】
【００７４】
１  測定データ記録装置
２  測定データ回収装置
１２，２２  記憶部
１５，２１，２５  通信部
１６，２６  制御部
２３  操作部
２４  表示部
４０  測定データ回収処理
１００  測定システム
Ｄ１ａ  記録装置識別コード
Ｄ１ｂ  最新回収データ日時情報
Ｄ１ｃ  最新回収データ番号情報
Ｄ１ｄ  回収装置情報
Ｄ２ａ  回収装置識別コード
Ｄ２ｂ  記録装置情報
Ｄ２ｃ  個別最新回収データ日時情報
Ｄ２ｄ  個別最新回収データ番号情報
Ｄｒ  測定データ
Ｓ１，Ｓ２  送信要求信号
Ｓｉ  入力信号
【図１】
2011048417.tif 000003
【図２】
2011048417.tif 000004
【図３】
2011048417.tif 000005